(57)【要約】 【課題】  本発明は、大きく外側に張り出すことなく、離隔箇所を挟み込んで挟持することのできる挟持クリップを極端に大型化させずに実現して、例えば、離隔する両端部の端子を挟持クリップで挟み込んで接地短絡させることのできるコンパクトな接地短絡器具を提供することを目的とする。【解決手段】  一対の電極棒部材１１、１２が先端部１１ａ、１２ａと後端部１１ｂ、１２ｂの間の張出部１１ｃ、１２ｃに配設された回動軸１３により相対回動自在に連結されているとともに、その先端部１１ａ、１２ａがトーションスプリング１４により接近方向に付勢されている挟持クリップ１０であって、その一方の先端部１１ａが他方の先端部１２ａよりも長尺に形成されている。また、この先端部１１ａ、１２ａの先端には、挟持する両端の端子の角部に引っ掛ける係合片１１ｄ、１２ｄが形成されている。【選択図】      図１
2006100001.tif 000002
【特許請求の範囲】
【請求項１】
回動軸を中心に相対回動可能に連結されて一端部を接離させる一対の回動部材と、該回動部材の互いに対向する一端部同士を圧接させる方向に付勢する付勢手段と、を備えて、付勢手段の付勢力に抗して一端部を離隔させる操作力を解放することにより当該一端部間の目的物を挟み込んで挟持する挟持クリップであって、
一方の回動部材の一端部が他方の回動部材の一端部よりも長尺に形成されていることを特徴とする挟持クリップ。
【請求項２】
前記回動軸が回動部材の一端部と他端部の間に配設されて、他端部を接近させる操作力を加えることにより付勢手段の付勢力に抗して一端部を離隔させることを特徴とする請求項１に記載の挟持クリップ。
【請求項３】
前記回動部材の一端部の先端に、挟持する目的物の角部に引っ掛ける係合片が設けられていることを特徴とする請求項１または２に記載の挟持クリップ。
【請求項４】
前記回動部材の一端部の対向部分が波型に形成されていることを特徴とする請求項１から３のいずれかに記載の挟持クリップ。
【請求項５】
前記回動部材の一端部の対向部分の一部または全部が、目的物の外面に沿う形状に形成されていることを特徴とする請求項１から４のいずれかに記載の挟持クリップ。
【請求項６】
前記回動部材の少なくとも一端部の一部または全部が導電性材料より構成されて電気ケーブルに電気的に接続されていることを特徴とする請求項１から５のいずれかに記載の挟持クリップ。
【発明の詳細な説明】
【技術分野】
【０００１】
本発明は、挟持クリップに関し、詳しくは、容易に外れてしまうことなく離隔する箇所を挟持することができるものに関する。
【背景技術】
【０００２】
従来より、一対の棒状部材の中間部付近を互いに接近する方向に延長して回動軸を配設し連結したクリップが知られており、このクリップでは、その棒状部材が相対的に回動したときに、その一端側（先端側）同士と他端側（後端側）同士が逆のタイミングに接離する構造になっている。このクリップには、棒状部材の後端側を互いに離隔させる方向に付勢するスプリングなどの弾性部材（付勢手段）が配置されている。
【０００３】
このような構造のクリップは、弾性部材の弾性力に抗して棒状部材の後端側を接近させるように握るなどすることにより、先端側を互いに離隔する方向に回動させることができ、反対に、その握る力を解放することにより、弾性部材の弾性力によって先端側が互いに接近する方向に回動軸を中心に回動する。このような構成により、棒状部材の先端側に目的物を挟んで挟持することができる。
【０００４】
この種の挟持クリップは、その棒状部材の少なくとも先端側に導電性材料を配置するとともに、その導電性材料から電気ケーブルを引き出すことにより、例えば、ブースターケーブルなどのような端子接続用ケーブルを作製することができる（例えば、特許文献１、２参照）。
【０００５】
この挟持クリップとしては、複数個をケーブルにより導通接続することにより複数箇所を短絡させる短絡用器具として利用される場合があり、電気設備の点検などをする際の安全を確保するために接地・短絡させる際に利用されるときがある。例えば、図８に示す電柱１０１の変圧器１０３の低圧側を接地させる際には、その電柱１０１の腕金アーム１０５に取り付けられて、その変圧器１０３の低圧側から引き出されている電線１０７に接続された複数の引込分岐ボックス１１０内の端子を挟持させて導通を取るとともに、同時に、接地端子を挟持させて導通を取ることに用いられている（例えば、特許文献３、４参照）。
【特許文献１】実用新案登録第３０６６５９８号公報
【特許文献２】実用新案登録第３０６６６７４号公報
【特許文献３】実開平５−６１９５８号公報
【特許文献４】実開平７−７０７６号公報
【発明の開示】
【発明が解決しようとする課題】
【０００６】
しかしながら、このような従来の挟持クリップにあっては、挟持する目的物が板材や線材などの場合に、棒状部材の先端側を接近させて挟持することはできるが、離隔箇所を挟み込む場合には、先端側を大きく離隔させるためにかなり大型の挟持クリップを準備しなければならず、挟持する力も強力になって、取り扱い辛くなってしまう。また、その離隔箇所を挟持させた状態では、大型の挟持クリップが大きく外側に出っ張ってしまう。
【０００７】
例えば、電柱１０１の腕金アーム１０５に取り付けた取付金具１０６により吊り下げられている引込分岐ボックス１１０は、図９および図１０に示すように、カバー１１２のネジ止めを解除してそのカバー１１２を引き下げるように回動させることにより、直列に配列されている複数の端子Ｔ１〜Ｔ５を露出させて、その両端部の端子Ｔ１、Ｔ５を挟持クリップで挟み込む状態に挟持させて導通を確保する必要がある。この場合には、大型の挟持クリップでは邪魔になるとともに、作業用の線材などを引き上げる際に引っ掛かると、その挟持クリップが容易に外れてしまって、信頼性高く安全を確保することが難しい、という問題があった。
【０００８】
そこで、本発明は、大きく外側に張り出すことなく、離隔箇所を挟み込んで挟持することのできる挟持クリップを極端に大型化させずに実現して、例えば、離隔する両端部の端子を挟持クリップで挟み込んで接地短絡させることのできるコンパクトな接地短絡器具を提供することを目的とする。
【課題を解決するための手段】
【０００９】
上記課題を解決する挟持クリップの第１の発明は、回動軸を中心に相対回動可能に連結されて一端部を接離させる一対の回動部材と、該回動部材の互いに対向する一端部同士を圧接させる方向に付勢する付勢手段と、を備えて、付勢手段の付勢力に抗して一端部を離隔させる操作力を解放することにより当該一端部間の目的物を挟み込んで挟持する挟持クリップであって、一方の回動部材の一端部が他方の回動部材の一端部よりも長尺に形成されていることを特徴とするものである。
【００１０】
この発明では、一対の回動部材が回動軸を中心に回動して圧接する一端部の長さ（先端の位置）が異なっている。これにより、回動部材の一端部同士が接近する状態のときには、他方の一端部の先端部分が一方の一端部の中間部に接近して目的物を挟み込むようにして挟持することができる。また、回動部材の一端部同士が離隔する状態のときには、長い一方の一端部の先端部分と他方の一端部の先端部分との間で目的物を挟み込むようにして挟持することができ、他方の一端部の先端部分に対応する一方の一端部の中間部との間隔よりも長い目的物の離隔箇所を挟持することができる。したがって、目的物の近接箇所は、従来と同様に挟持することができる一方、離隔箇所は、回動部材の一端部の双方を大型化することなく、傾斜する状態で挟み込んで外側に大きく張り出すことなく、挟持することができる。
【００１１】
上記課題を解決する挟持クリップの第２の発明は、上記第１の発明の特定事項に加え、前記回動軸が回動部材の一端部と他端部の間に配設されて、他端部を接近させる操作力を加えることにより付勢手段の付勢力に抗して一端部を離隔させることを特徴とするものである。
【００１２】
この発明では、回動部材の他端部を握るなどして接近させることにより一端部を離隔させることができ、また、その握る操作力を解除したときには付勢力により一端部同士を接近させることができる。したがって、回動部材の他端部を握って操作することにより目的物を挟持する道具として利用することができる。
【００１３】
上記課題を解決する挟持クリップの第３の発明は、上記第１または第２の発明の特定事項に加え、前記回動部材の一端部の先端に、挟持する目的物の角部に引っ掛ける係合片が設けられていることを特徴とするものである。
【００１４】
この発明では、回動部材の一端部同士を離隔させて目的物の外側の角部に係合片を引っ掛けつつ、その目的物を挟み込むようにして挟持することができる。したがって、目的物の離隔箇所から回動部材の一端部の先端がより確実に外れないように挟持することができる。
【００１５】
上記課題を解決する挟持クリップの第４の発明は、上記第１から第３のいずれかの発明の特定事項に加え、前記回動部材の一端部の対向部分が波型に形成されていることを特徴とするものである。
【００１６】
この発明では、回動部材の一端部同士が接近して目的物を挟持するときには、波型に形成された部分をその目的物に圧接させて挟持することができる。したがって、目的物の近接箇所の形状に拘わらずにその目的物を確実に挟持することができる。
【００１７】
上記課題を解決する挟持クリップの第５の発明は、上記第１から第４のいずれかの発明の特定事項に加え、前記回動部材の一端部の対向部分の一部または全部が、目的物の外面に沿う形状に形成されていることを特徴とするものである。
【００１８】
この発明では、回動部材の一端部同士が接近して目的物を挟持するときには、目的物の外面に沿う形状に形成されている部分をその目的物に圧接させて挟持することができる。したがって、大きな接触面積で近接箇所の目的物を挟持することができる。
【００１９】
上記課題を解決する挟持クリップの第６の発明は、上記第１から第５のいずれかの発明の特定事項に加え、前記回動部材の少なくとも一端部の一部または全部が導電性材料より構成されて電気ケーブルに電気的に接続されていることを特徴とするものである。
【００２０】
この発明では、端子などに一端部を電気的に接続することができ、離隔する端子などの両端部を挟み込んで確実に挟持して導電接続することができる。したがって、不用意に外れてしまうことなく接地などすることができ、例えば、複数の挟持クリップを電気ケーブルにより導通接続することによって、複数箇所を接地して短絡させることのできる接地短絡器具として利用することができる。
【発明の効果】
【００２１】
本発明によれば、長さの異なる回動部材の一端部により、目的物の近接箇所だけでなく、離隔箇所をも挟持することができ、このときには、傾斜する状態で外側に大きく張り出すことなく、その先端部分の間に挟み込むようにして挟持することができるので、回動部材の一端部の双方を大型化することなく、コンパクトな挟持クリップにより目的物の離隔箇所を挟持することができる。
【００２２】
この回動部材の一端部の先端に係合片を設けることにより、その目的物の離隔箇所をより確実に挟持することができ、例えば、接地短絡器具に利用される場合には、確実に離隔する端子の両端部などを挟持して導通接続することにより、不用意に外れることがないように接地短絡させることができる。
【発明を実施するための最良の形態】
【００２３】
以下、本発明の最良の実施形態を図面に基づいて説明する。図１〜図７は本発明に係る挟持クリップの一実施形態を示す図である。
【００２４】
図１および図２において、挟持クリップ１０は、縦断面がコの字形状になるように屈曲させて棒形状にした銅板などの導電性板材料からなる一対の電極棒部材（回動部材）１１、１２を備えている。
【００２５】
電極棒部材１１、１２は、一端側の先端部１１ａ、１２ａと他端側の後端部１１ｂ、１２ｂとの間を互いに接近する方向に延長した張出部１１ｃ、１２ｃが回動軸１３により相対回動自在に連結されており、先端部１１ａ、１２ａの対向部を当接させたときには後端部１１ｂ、１２ｂは離隔して、反対に、その後端部１１ｂ、１２ｂを接近させたときには先端部１１ａ、１２ａが離隔する。この電極棒部材１１、１２は、回動軸１３が巻回部を貫通するようにトーションスプリング（付勢手段）１４が取り付けられており、このトーションスプリング１４は、電極棒部材１１、１２の後端部１１ｂ、１２ｂを離隔させる方向に弾性力を加えて付勢するように腕部が組み付けられている。
【００２６】
また、電極棒部材１１、１２は、先端部１１ａ、１２ａの互いに対向する部位が相似形状の波型に形成されて凸形状部分を互いに突き合わせているとともに、後端部１１ｂ、１２ｂには絶縁性を有する樹脂材料からなる滑り止めようのグリップ１５、１６が取り付けられている。この電極棒部材１１、１２には、それぞれ電気ケーブル１７、１８が接続されてそのグリップ１５、１６の端部から引き出されており、その電気ケーブル１７、１８は、他の挟持クリップ１０の電極棒部材１１、１２に電気的に接続されている。ここで、電極棒部材１１、１２は、回動軸１３により連結されている張出部１１ｃ、１２ｃやトーションスプリング１４を介して電気的に接続されているが、必要に応じて導通させる材料を電極棒部材１１、１２間に溶接などしてもよい。
【００２７】
これにより、挟持クリップ１０は、従来技術と同様に、グリップ１５、１６を握ってトーションスプリング１４の弾性力に抗して電極棒部材１１、１２を回動させて後端部１１ｂ、１２ｂを接近させることにより、先端部１１ａ、１２ａを離隔させてその間に目的物を位置させることができ、この後に、そのグリップ１５、１６の握る力を緩めてトーションスプリング１４の弾性力で後端部１１ｂ、１２ｂを離隔させることにより、その電極棒部材１１、１２の先端部１１ａ、１２ａを接近させてその間に目的物を挟んで挟持させることができる。例えば、挟持クリップ１０は、図３に示す変圧器１０３内部の低圧側電極１０３ａを目的物として、図４に示すように、挟持クリップ１０により挟んで挟持することができる。このときに、挟持クリップ１０は、その電極棒部材１１、１２の先端部１１ａ、１２ａの波型部分をその低圧側電極１０３ａに突き合わせるように挟み込んで外れないように挟持することができ、信頼性高く他の挟持クリップ１０との間の導通を確保することができる。
【００２８】
そして、この電極棒部材１１、１２は、一方の先端部１１ａが他方の先端部１２ａよりも長尺に形成されており、この先端部１１ａ、１２ａのそれぞれの先端には互いに対向する方向に突出する係合片１１ｄ、１２ｄ（係合片１２ｄは図２に図示）が形成されている。ここで、本実施形態では、一方の先端部１１ａが他方の先端部１２ａよりも１．５倍程度の長さに形成されているが、これに限るものではなく、挟持する目的物に応じて設計してもよいことはいうまでもない。
【００２９】
これにより、挟持クリップ１０は、グリップ１５、１６を握って電極棒部材１１、１２の先端部１１ａ、１２ａを離隔させると、従来技術のように同じ長さの先端部の場合よりも、その先端部１１ａ、１２ａの先端間距離Ｌを長く設定することができ、間隔の長い目的物の角部を挟んで挟持することができる。例えば、挟持クリップ１０は、図５に示す引込分岐ボックス１１０の端子Ｔ１、Ｔ５を目的物として、挟持クリップ１０により挟んで挟持することができ、他の挟持クリップ１０と共に、複数の引込分岐ボックス１１０の端子Ｔ１、Ｔ５間を電気ケーブル１７、１８を介して導通して短絡・接地させる接地短絡器具として利用することができる。このときに、挟持クリップ１０は、図６に示すように、その電極棒部材１１、１２の先端部１１ａ、１２ａ先端の係合片１１ｄ、１２ｄを引込分岐ボックス１１０の端子Ｔ１、Ｔ５の外側角部に差し込んで引っ掛けるように係合・挟持させることができ、信頼性高く他の挟持クリップ１０との間の導通を確保して接地などさせることができる。また、挟持クリップ１０は、図５に示すように、傾斜する姿勢で引込分岐ボックス１１０の端子Ｔ１、Ｔ５を挟持することができ、大きく外側に張り出して作業の邪魔になったり、他の線材などを引き上げる際に引っ掛かることが少なくなる。
【００３０】
さらに、電極棒部材１１、１２は、先端部１１ａよりも短尺に形成されている先端部１２ａの先端が、図３に示す変圧器１０３内部の高圧側電線１０３ｂを挟持する目的物として、波型部分の先端面１２ｅから係合片１２ｄの内面側がその電線１０３ｂの外周面に沿う形状に形成されている。
【００３１】
これにより、挟持クリップ１０は、図７に示すように、グリップ１５、１６を握って電極棒部材１１の先端部１１ａから離隔する電極棒部材１２の先端部１２ａ先端の波型先端面１２ｅと係合片１２ｄとの間に変圧器１０３の高圧側電線１０３ｂを位置させた後に、そのグリップ１５、１６の握る力を緩めることにより先端部１１ａとの間にその高圧側電線１０３ｂを挟んで挟持させることができる。このときに、挟持クリップ１０は、電極棒部材１２の先端部１２ａの波型先端面１２ｅから係合片１２ｄの大面積をその高圧側電線１０３ｂの外周面に密接させることができ、大容量の電流を導通可能に挟持することができる。
【００３２】
このように本実施形態においては、電極棒部材１１、１２の一方の先端部１１ａを他方の先端部１２ａよりも長尺にするだけで、外側に大きく張り出すことなく離隔箇所を挟持することができ、その先端部１１ａ、１２ａ先端に係合片１１ｄ、１２ｄを形成することにより、例えば、複数箇所の引込分岐ボックス１１０の端子Ｔ１、Ｔ５の外側を信頼性高く挟持して接地・短絡などさせることができる。したがって、離隔する箇所でも不用意に外れてしまうことなく挟持することのできるコンパクトな挟持クリップ１０を提供することができる。
【産業上の利用可能性】
【００３３】
これまで本発明の一実施形態について説明したが、本発明は上述の実施形態に限定されず、その技術的思想の範囲内において種々異なる形態にて実施されてよいことは言うまでもない。例えば、回動部材の一端部と他端部とが反対のタイミングで接離する構造の場合を説明するが、例えば、一対の回動部材がクロスする状態で回動軸により連結された構造にも適用しても良く、また、その一端部と他端部とが同じタイミングで接離する構造にも適用しても良いことはいうまでもない。
【図面の簡単な説明】
【００３４】
【図１】本発明に係る挟持クリップの一実施形態を示す図であり、その概略全体構成を示す平面図である。
【図２】その挟持クリップの使用時の状態を説明する平面図である。
【図３】その挟持クリップにより挟持させる目的物を示す図であり、変圧器の内部を示す平面図である。
【図４】その挟持クリップによる目的物の挟持状態を示す斜視図である。
【図５】その挟持クリップによる目的物の挟持状態を示す斜視図である。
【図６】その挟持クリップによる目的物の挟持状態を示す図であり、（ａ）はその目的物の上部側を示す側面図、（ｂ）はその目的物の下部側を示す側面図である。
【図７】その挟持クリップによる目的物との接触状態を示す斜視図である。
【図８】その目的物の設置を説明する立面図である。
【図９】その目的物を説明する図であり、（ａ）はその外装を示す正面図、（ｂ）はその外装と内部を示す一部切欠側面図である。
【図１０】その目的物を説明する図であり、（ａ）は正面図、（ｂ）はその側面図である。
【符号の説明】
【００３５】
１０    挟持クリップ
１１、１２    電極棒部材
１１ａ、１２ａ    先端部
１１ｂ、１２ｂ    後端部
１１ｄ、１２ｄ    係合片
１２ｅ    波型先端面
１３    回動軸
１４    トーションスプリング
１５、１６    グリップ
１７、１８    電気ケーブル
１０３    変圧器
１０３ａ    低圧側電極
１０３ｂ    高圧側電線
１１０    引込分岐ボックス
１１２    カバー
Ｌ    先端間距離
Ｔ１    端子
Ｔ１-Ｔ５    端子
【図１】
2006100001.tif 000003
【図２】
2006100001.tif 000004
【図３】
2006100001.tif 000005
【図４】
2006100001.tif 000006
【図５】
2006100001.tif 000007
【図６】
2006100001.tif 000008
【図７】
2006100001.tif 000009
【図８】
2006100001.tif 000010
【図９】
2006100001.tif 000011
【図１０】
2006100001.tif 000012